(57)【要約】【課題】複雑な装置および煩雑な操作を必要とせず、処理費用が低廉で、現位置処理が可能で、二次汚染の虞がなく、フッ素の汚染土壌からの溶出を低減する方法を提供する。【解決手段】本発明に係るフッ素の汚染土壌からの溶出を低減する方法は、フッ素で汚染された汚染土壌に、リン酸化合物、カルシウム化合物、および下記式（１）  Ｃａ（７−１．５ｘ）Ｆｅｘ（ＯＨ）１４・ｙＨ２Ｏ・・・（１）  （式（１）において１．７ ≦ ｘ ≦ ２．３、１≦ ｙ ≦６）で示される化合物を混合する混合工程を含む。【選択図】なし【特許請求の範囲】
【請求項１】
フッ素で汚染された汚染土壌に、リン酸化合物、カルシウム化合物、および下記式（１）で示される化合物を混合する混合工程を含む、フッ素の汚染土壌からの溶出を低減する方法。
Ｃａ（７−１．５ｘ）Ｆｅｘ（ＯＨ）１４・ｙＨ２Ｏ・・・（１）
（式（１）において１．７ ≦ ｘ ≦ ２．３、１≦ ｙ ≦６）
【請求項２】
上記汚染土壌は、フッ素で汚染された汚染土壌であり、
上記混合工程では、上記リン酸化合物、上記カルシウム化合物、および上記式（１）で示される化合物の混合物のスラリーおよび水溶液の少なくともいずれかを、地盤の汚染された領域に注入する、請求項１に記載のフッ素の汚染土壌からの溶出を低減する方法。
【請求項３】
上記リン酸化合物が、リン酸水素二ナトリウム、リン酸二水素ナトリウム、リン酸水素二カリウムおよびリン酸二水素カリウムからなる群より選ばれる少なくとも一つのリン酸化合物である、請求項１または２に記載のフッ素の汚染土壌からの溶出を低減する方法。
【請求項４】
上記カルシウム化合物が、塩化カルシウム、水酸化カルシウムおよび酸化カルシウムからなる群より選ばれる少なくとも一つのカルシウム化合物であることを特徴とする請求項１〜３のいずれか１項に記載のフッ素の汚染土壌からの溶出を低減する方法。
【請求項５】
リン酸化合物、カルシウム化合物、および下記式（１）で示される化合物を含む、フッ素の汚染土壌からの溶出を低減するための組成物。
Ｃａ（７−１．５ｘ）Ｆｅｘ（ＯＨ）１４・ｙＨ２Ｏ・・・（１）
（式（１）において１．７ ≦ ｘ ≦ ２．３、１≦ ｙ ≦６）
【請求項６】
リン酸化合物、カルシウム化合物、および下記式（１）で示される化合物を含む、フッ素の汚染土壌からの溶出を低減するためのキット。
Ｃａ（７−１．５ｘ）Ｆｅｘ（ＯＨ）１４・ｙＨ２Ｏ・・・（１）
（式（１）において１．７ ≦ ｘ ≦ ２．３、１≦ ｙ ≦６）
【発明の詳細な説明】
【技術分野】
【０００１】
本発明は、フッ素の汚染土壌からの溶出を低減する方法、組成物およびキット関する。
【背景技術】
【０００２】
フッ素で汚染された土壌は、フッ素が溶出して地下水などの周辺環境に悪影響を及ぼすため、当該土壌からフッ素が溶出することを防止するための処理が行なわれている。そのような処理方法として、薬剤を土壌に添加・混合することによってフッ素を不溶化し、周辺環境へのフッ素の汚染拡大を防止する汚染土壌の不溶化処理方法がある。
【０００３】
従来、フッ素で汚染された土壌中のフッ素を化学的に不溶化して、フッ素の溶出を防止する方法が知られている。例えば、カルシウム化合物またはアルミニウム化合物を単独または両者を併用して汚染土壌に混合添加する方法（特許文献１）、リン酸化合物およびカルシウム化合物を添加する方法（特許文献２）、カルシウム化合物およびマグネシウム化合物を添加する方法（特許文献３）、石膏、石灰、硫酸鉄およびリン酸化合物、さらに必要に応じて非晶質水酸化アルミニウムを添加する方法（特許文献４）、鉱酸を添加してｐＨ２〜４に調節した後、鉄塩またはアルミニウム塩を添加し、次いでアルカリを添加してｐＨを３〜１０に調節することにより水酸化物を形成する方法（特許文献５）、ならびに希土類元素の化合物を添加する方法（特許文献６）などがある。
【先行技術文献】
【特許文献】
【０００４】
【特許文献１】特開２００３−２３６５２１号公報（２００３年８月２６日公開）
【特許文献２】特開２００２−３３１２７２号公報（２００２年１１月１９日公開）
【特許文献３】特開２００７−２１６０７７号公報（２００７年８月３０日公開）
【特許文献４】特開２００７−３３０８８４号公報（２００７年１２月２７日公開）
【特許文献５】特開２００２−３２６０８１号公報（２００２年１１月１２日公開）
【特許文献６】特開２００４−３０５９３５号公報（２００４年１１月４日公開）
【発明の概要】
【発明が解決しようとする課題】
【０００５】
しかしながら、従来のフッ素不溶化技術では、次の問題がある。
【０００６】
すなわち、特許文献１に記載の方法では、カルシウム化合物を添加することによって生成するフッ化カルシウムの溶解度に起因して、フッ素の溶出量を土壌環境基準（環境庁告示第４６号）まで低下することができない。また、特許文献１，３のように、アルミニウム化合物またはマグネシウム化合物を添加してフッ素を水酸化物等に吸着固定化する方法では、低濃度領域までフッ素を固定化することはできず、これらの化合物をカルシウム化合物などと併用しても、同様に固定化できない。
【０００７】
特許文献２の方法では、リン酸化合物およびカルシウム化合物を添加してフルオロアパタイトとしてフッ素を固定しているが、土壌のｐＨの低下に伴ってフッ素の再溶出が生じる。よって、自然界では酸性雨の影響などによって土壌のｐＨを維持することは困難であるため、再溶出を抑えることができない。
【０００８】
特許文献５の方法では、上述したように操作が煩雑であり、現場での作業には適さない。また、特許文献６の方法では、希少資源であり、高価である希土類元素を使用するため、経済的に好ましくない。また、不溶化剤として知られるハイドロカルマイトはアルツハイマー病の原因物質といわれているアルミニウムを構成元素としているため、地下水へのアルミニウム汚染の原因となり不溶化剤として好ましいものではない。
【０００９】
したがって、汚染土壌中のフッ素を不溶化するための従来の技術では十分ではなく、さらなる技術の開発が求められている。
【００１０】
本発明は、上記課題に鑑みてなされたものであり、その目的は、複雑な装置および煩雑な操作を必要とせず、処理費用が低廉で、現位置処理が可能で、二次汚染の虞がない、フッ素の汚染土壌からの溶出を低減する方法を提供することにある。
【課題を解決するための手段】
【００１１】
本発明者らは、上記課題を解決するために鋭意検討した結果、フッ素で汚染された汚染土壌に、リン酸化合物、カルシウム化合物、および下記式（１）
Ｃａ（７−１．５ｘ）Ｆｅｘ（ＯＨ）１４・ｙＨ２Ｏ・・・（１）
（式（１）において１．７ ≦ ｘ ≦ ２．３、１≦ ｙ ≦６）
で示される化合物を混合することで、汚染土壌中のフッ素を化学的に不溶化して、フッ素の溶出を低濃度まで防止することを見出し、経済的且つ効率的な処理方法を開発するに至った。
【００１２】
すなわち、本発明に係るフッ素の汚染土壌からの溶出を低減する方法は、フッ素で汚染された汚染土壌に、リン酸化合物、カルシウム化合物、および下記式（１）
Ｃａ（７−１．５ｘ）Ｆｅｘ（ＯＨ）１４・ｙＨ２Ｏ・・・（１）
（式（１）において１．７ ≦ ｘ ≦ ２．３、１≦ ｙ ≦６）
で示される化合物を混合する混合工程を含むことを特徴としている。
【００１３】
本発明に係るフッ素の汚染土壌からの溶出を低減する方法では、上記汚染土壌は、フッ素で汚染された汚染土壌であり、上記混合工程では、上記リン酸化合物、上記カルシウム化合物、および上記式（１）で示される化合物の混合物のスラリーおよび水溶液の少なくともいずれかを、地盤の汚染された領域に注入することがより好ましい。
【００１４】
本発明に係るフッ素の汚染土壌からの溶出を低減する方法では、上記リン酸化合物が、リン酸水素二ナトリウム、リン酸二水素ナトリウム、リン酸水素二カリウムおよびリン酸二水素カリウムからなる群より選ばれる少なくとも一つのリン酸化合物であることがより好ましい。
【００１５】
本発明に係るフッ素の汚染土壌からの溶出を低減する方法では、上記カルシウム化合物が、塩化カルシウム、水酸化カルシウムおよび酸化カルシウムからなる群より選ばれる少なくとも一つのカルシウム化合物であることがより好ましい。
【００１６】
また、本発明に係るフッ素の汚染土壌からの溶出を低減するための組成物は、リン酸化合物、カルシウム化合物、および上記式（１）で示される化合物を含むことを特徴としている。
【００１７】
また、フッ素の汚染土壌からの溶出を低減するためのキットは、リン酸化合物、カルシウム化合物、および上記式（１）で示される化合物を含むことを特徴としている。
【発明の効果】
【００１８】
本発明によれば、複雑な装置および煩雑な操作を必要とせず、処理費用が低廉で、現位置処理が可能で、二次汚染の虞がなく、フッ素の汚染土壌からの溶出を低減することができる。
【発明を実施するための形態】
【００１９】
〔本発明に係るフッ素の汚染土壌からの溶出を低減する方法〕
本発明に係るフッ素の汚染土壌からの溶出を低減する方法（以下、単に「本発明に係る方法」という）は、リン酸化合物、カルシウム化合物および上記式（１）で示される化合物を汚染土壌に混合する混合工程を含めばよい。これにより、汚染土壌に含まれるフッ素を難溶化させて、当該フッ素の溶出を好適に低減することができる。また、汚染土壌、リン酸化合物、カルシウム化合物、および上記式（１）で示される化合物を混合すればよいので、複雑な装置及び煩雑な操作を必要としない。また、上記式（１）で示される化合物は低コストで合成できるので処理費用が低廉である。また、汚染土壌等のある現位置でリン酸化合物、カルシウム化合物、および上記式（１）で示される化合物を当該汚染土壌等に混合すればよいので、現位置処理が可能である。また、上述したハイドロカルマイトのような二次汚染の虞が無い。
【００２０】
本発明において処理対象となる汚染土壌とは、フッ素に汚染されている土壌であればよい。このような土壌にリン酸化合物およびカルシウム化合物を混合することにより不溶性のフルオロアパタイトが形成されて、土壌からフッ素溶出濃度を低減させ得ることは知られているが、当該フルオロアパタイトは土壌のｐＨの低下に伴ってフッ素の再溶出が始まる。これに対し、本発明の方法ではリン酸化合物およびカルシウム化合物に加えて上記式（１）で示される化合物を共存させることによって、土壌のｐＨの低下を抑制することができる。これにより、酸性雨などの影響を受けることなく、長期にわたってフッ素固定効果を発揮する。
【００２１】
すなわち、本発明に係る方法では、カルシウム化合物による不溶性のフッ化カルシウム形成によるフッ素固定作用、リン酸化合物とカルシウム化合物とのフルオロアパタイト形成によるフッ素固定作用、ならびに上記式（１）で示される化合物によるフッ素固定作用およびｐＨ緩衝作用を複合的に機能させることによって、汚染土壌からのフッ素の溶出を低濃度まで防止することができる。
【００２２】
本発明に係る方法において使用するリン酸化合物としてはリン酸、リン酸のナトリウム塩、リン酸のカリウム塩、リン酸のマグネシウム塩、リン酸のカルシウム塩、ヒドロキシアパタイト、過リン酸石灰等が例示でき、特にリン酸水素二ナトリウム、リン酸二水素ナトリウムリン酸水素二カリウムおよびリン酸二水素カリウムからなる群より選ばれる少なくとも一種のリン酸化合物を使用することが好ましい。
【００２３】
本発明に係る方法において使用するカルシウム化合物はとしては水酸化カルシウム、カルシウムの塩化物、硝酸塩、リン酸塩、炭酸塩、ヒドロキシアパタイト、過リン酸石灰、セメント等が例示でき、特に塩化カルシウム、水酸化カルシウムおよび酸化カルシウムからなる群より選ばれる少なくとも一種のカルシウム化合物を使用することが好ましい。
【００２４】
上記式（１）で示される化合物は、化学合成によって低コストで簡単に合成することができる。化学合成方法は、例えば次のように行なうことができる。
【００２５】
まず、反応器に炭酸塩の水溶液を仕込み、攪拌下、ｐＨを９〜１４に制御しながら、目的とするｘの値に応じた水酸化カルシウムもしくはカルシウム塩の水溶液またはスラリーと、鉄（ＩＩＩ）塩の水溶液と、アルカリ溶液とを徐々に添加し、生じたスラリーの沈殿物を熟成する。
【００２６】
次いで沈殿の洗浄を行ない、乾燥・粉砕した後、３００℃〜６００℃の温度で焼成して、次いで水中で分散させるなど水と反応させることによって上記式（１）で示される化合物を合成することができる。ここに例示した化学合成方法等により得られる化合物は、「カルシウム鉄複合含水酸化物」ということもできる。なお、得られた粉体をＸ線回折法または化学分析による組成分析によって、上記式（１）で示される化合物であることを確認することができる。
【００２７】
上記式（１）で示される化合物の合成に使用する炭酸塩としては炭酸ナトリウム、炭酸カルシウム等が例示でき、カルシウム源としては塩化カルシウム、酸化カルシウム、水酸化カルシウム等が例示でき、鉄（ＩＩＩ）源としては塩化物、硫酸塩、硝酸塩等が例示でき、アルカリとしては、水酸化ナトリウム、水酸化カリウム等が例示できる。
【００２８】
上記式（１）で示される化合物は、ハイドロカルマイトと類似の層状結晶を有するが、金属成分がアルミニウムとカルシウムとからなるハイドロカルマイトとは組成が異なる物質である。また、上記式（１）で示される化合物はカルシウム含水酸化物と鉄含水酸化物との単なる混合物とは異なる物質である。
【００２９】
本発明に係る方法において使用する上記式（１）で示される化合物では、ｘが１．７以上２．３以下である。この範囲を外れると層状結晶を有する化合物にならない。また、上記式（１）においてｙは１以上６以下である。なお、ｙの範囲は結晶水であるため、この範囲は特に限定されるものではない。
【００３０】
本発明に係る方法では、リン酸化合物、カルシウム化合物および上記式（１）で示される化合物を、粉末にして使用してもよく、水に分散させたスラリーまたは水溶液にして使用してもよい。
【００３１】
本発明に係る方法において、リン酸化合物、カルシウム化合物および上記式（１）で示される化合物を汚染土壌に添加する方法としては、例えば、これらの材料を同時に添加して混合してもよいし、リン酸化合物およびカルシウム化合物を予め汚染土壌に混合した後、次いで上記式（１）で示される化合物を当該汚染土壌に混合してもよい。
【００３２】
また、混合工程では、フッ素で汚染された汚染土壌に、リン酸化合物、カルシウム化合物および上記式（１）で示される化合物を混合すればよく、その具体的な方法は様々な方法を採用することができる。例えば、リン酸化合物、カルシウム化合物および上記式（１）で示される化合物と汚染土壌とを、不溶化の目的の程度に応じた比率で混練してもよい。
【００３３】
また、例えば、リン酸化合物、カルシウム化合物および上記式（１）で示される化合物を汚染土壌に散布したのち、重機を用いて攪拌する方法を採用してもよいし、汚染土壌と、リン酸化合物、カルシウム化合物および上記式（１）で示される化合物とを攪拌装置に入れ、攪拌混合する方法等を採用してもよい。
【００３４】
また、汚染土壌とリン酸化合物、カルシウム化合物および上記式（１）で示される化合物とを混練等によって接触させる場合には、水を添加して行なってもよいし、予め水でリン酸化合物、カルシウム化合物および上記式（１）で示される化合物をスラリー化させたもの、または水溶液にしたものを汚染土壌と接触させてもよい。
【００３５】
例えば、汚染地盤から掘削した、フッ素による汚染土壌に、リン酸化合物、カルシウム化合物および上記式（１）で示される化合物を直接混合するか、そのスラリーおよび水溶液の少なくともいずれかを混合することによってフッ素溶出を低減する方法を採用できる。リン酸化合物、カルシウム化合物および上記式（１）で示される化合物の粉体を汚染土壌に混合する場合には、フッ素の溶出を低減させる効果を促進させるために水を添加することが好ましい。
【００３６】
また、混合工程では、リン酸化合物、カルシウム化合物および上記式（１）で示される化合物のスラリーおよび水溶液の少なくともいずれかを、汚染土壌の地盤の汚染された領域に注入してもよい。このスラリーは、例えばリン酸化合物、カルシウム化合物および上記式（１）で示される化合物を水等に分散させたスラリーでよい。汚染された地盤の汚染領域にリン酸化合物、カルシウム化合物および上記式（１）で示される化合物をスラリー化して注入する方法は特に限定されるものではない。例えば、汚染地盤の浄化対象位置において、例えば、深層混合処理工法に用いられる土壌に貫入しつつ当該貫入部分の攪拌が可能な処理機で、当該貫入部分からリン酸化合物、カルシウム化合物および上記式（１）で示される化合物のスラリーおよび水溶液の少なくともいずれかを注入する方法を採用してもよい。
【００３７】
本発明に係る方法の混合工程では、リン酸化合物、カルシウム化合物および上記式（１）で示される化合物に加えて他の処理剤を併用してもよい。他の処理剤としては、例えば、塩化マグネシウム、硫酸マグネシウム、硫酸アンモニウム、塩化アルミニウム、ポリ塩化アルミニウム、硫酸第一鉄、硫酸第二鉄、塩化第二鉄、酸性硫酸ナトリウム、ゼオライト、ベントナイト、モンモリロナイト、ハロイサイト、カオリン等が挙げられる。
【００３８】
混合工程におけるリン酸化合物の使用量は、汚染土壌の重金属汚染の程度によって任意に調節可能であるが、例えば、汚染土壌１００重量部に対して、リン酸化合物を１〜３０重量部混合することにより優れた効果を発揮する。つまり、１重量部以上であれば効果が十分に発揮され、３０重量部以下とすることにより、十分な効果を発揮しつつコストを低く抑えることができる。
【００３９】
混合工程におけるカルシウム化合物の使用量は、汚染土壌の重金属汚染の程度によって任意に調節可能であるが、例えば、汚染土壌１００重量部に対して、カルシウム化合物を１〜３０重量部混合することにより優れた効果を発揮する。つまり、１重量部以上であれば効果が十分に発揮され、３０重量部以下とすることにより、十分な効果を発揮しつつコストを低く抑えることができる。
【００４０】
混合工程における上記式（１）で示される化合物の使用量は、汚染土壌の重金属汚染の程度によって任意に調節可能であるが、例えば、汚染土壌１００重量部に対して、上記式（１）で示される化合物を１〜３０重量部混合することにより優れた効果を発揮する。つまり、１重量部以上であれば効果が十分に発揮され、３０重量部以下とすることにより、十分な効果を発揮しつつコストを低く抑えることができる。
【００４１】
なお、リン酸化合物、カルシウム化合物および上記式（１）で示される化合物のスラリーを使用する場合は、固形物濃度換算として添加量を決定する。
【００４２】
〔本発明に係るフッ素の汚染土壌からの溶出を低減するための組成物〕
本発明に係るフッ素の汚染土壌からの溶出を低減するための組成物（以下、単に「本発明に係る組成物」という。）も本発明の範疇である。
【００４３】
本発明に係る組成物は、リン酸化合物、カルシウム化合物および上記式（１）で示される化合物を含めばよい。例えば、予めリン酸化合物、カルシウム化合物および上記式（１）で示される化合物を水に溶解または分散させたスラリーであってもよい。この場合、水に対するリン酸化合物、カルシウム化合物および上記式（１）で示される化合物の量は、目的とする不溶化の効率等に応じて適宜設定できる。例えば、水１００質量部に対して、リン酸化合物は５〜３０重量部、カルシウム化合物は５〜３０重量部、および上記式（１）で示される化合物は５〜３０重量部の範囲が好ましい。水１００質量部に対して、リン酸化合物、カルシウム化合物および上記式（１）で示される化合物の総量は１５〜４０質量部が好ましい。
【００４４】
〔本発明に係るフッ素の汚染土壌からの溶出を低減するためのキット〕
本発明に係るフッ素の汚染土壌からの溶出を低減するためのキット（以下、単に「本発明に係るキット」という。）は、少なくともリン酸化合物、カルシウム化合物および上記式（１）で示される化合物を備えていればよい。
【００４５】
また、本発明に係るキットの構成としては上述したものに限定されるものではなく、他の薬剤、器具等を含んでもよい。例えば、本発明に係るキットは、上述した他の処理剤を備えてもよいし、汚染土壌に効率よく混合するための機材等を備えていてもよい。
【００４６】
また、本発明に係るキットには、本発明に係る方法を行なうための手順等を記載した説明書を含んでもよい。
【００４７】
上記の何れの構成であっても、本発明に係る方法を行なうために好ましい組成物等が備えられている。そのため、本発明に係るキットを用いることで、本発明に係る方法を実施することができ、フッ素の汚染土壌からの溶出を低減することができる。
【実施例】
【００４８】
〔上記式（１）で示される化合物の合成例１〕
反応器に炭酸ナトリウム（Ｎａ２ＣＯ３）３０ｇを入れて２リットルの水を加えて溶解した。該溶解液（溶液Ａ）を攪拌しながら、塩化カルシウム・二水和物（ＣａＣｌ２・２Ｈ２Ｏ）１１０ｇを水５リットルに溶解した液（溶液Ｂ）と、塩化第二鉄・六水和物（ＦｅＣｌ３・６Ｈ２Ｏ）１２０ｇを水５リットルに溶解した液（溶液Ｃ）とを、反応器に連続的に添加するとともに、水酸化ナトリウム（ＮａＯＨ）１２０ｇを水１０リットルに溶解した液（溶液Ｄ）で、反応器内の液のｐＨが１０〜１２になるように調整しながら徐々に添加した。溶液Ｂおよび溶液Ｃの全量を添加した後、さらに２４時間攪拌を継続して熟成させた。得られたスラリーをろ過し、ろ液を分離・除去、水添加、攪拌の操作を繰り返して、ろ液の水酸基濃度が１０−３モル／リットル以下になるまで洗浄した。洗浄後スラリーをろ過・乾燥・粉砕し、３５０℃で加熱後、水中に分散した後乾燥して粉末を得た（粉末Ｅ）。粉末Ｅの一部をＸ線回折法および化学分析で測定した結果、粉末Ｅが上記式（１）で示される化合物であることを確認できた。
【００４９】
〔上記式（１）で示される化合物の合成例２〕
反応器に炭酸ナトリウム（Ｎａ２ＣＯ３）３０ｇを入れて２リットルの水を加えて溶解した。該溶解液（溶液Ｆ）を攪拌しながら、塩化カルシウム・二水和物（ＣａＣｌ２・２Ｈ２Ｏ）１３０ｇを水５リットルに溶解した液（溶液Ｇ）と、塩化第二鉄・六水和物（ＦｅＣｌ３・６Ｈ２Ｏ）９０ｇを水５リットルに溶解した液（溶液Ｈ）とを、反応器に連続的に添加するとともに、水酸化ナトリウム（ＮａＯＨ）１２０ｇを水１０リットルに溶解した液（溶液Ｉ）で、反応器内の液のｐＨが１０〜１２になるように調整しながら徐々に添加した。溶液Ｇおよび溶液Ｈの全量を添加した後、さらに２４時間攪拌を継続して熟成させた。得られたスラリーをろ過し、ろ液を分離・除去、水添加、攪拌の操作を繰り返して、ろ液の水酸基濃度が１０−３モル／リットル以下になるまで洗浄した。洗浄後スラリーをろ過・乾燥・粉砕し、４５０℃で加熱して粉末Ｊを得た。粉末Ｊの一部をＸ線回折法および化学分析で測定した結果、粉末Ｊが上記式（１）で示される化合物であることを確認できた。そして、粉末Ｊを水に分散してスラリーＫ（固形分含量２５％）を得た。
【００５０】
〔比較例１〜４〕
千葉県千葉市から算出した土壌（蒸発減量１２％）にフッ素の含有量が５０ｍｇ／ｋｇになるようにフッ化ナトリウム（ＮａＦ）を添加し、均一になるまで混合して模擬汚染土壌を調整した（汚染土壌Ｌ）。
【００５１】
汚染土壌Ｌの１００重量部に対して、リン酸化合物および／またはカルシウム化合物の５〜３０重量部、水２０重量部を加えて混合し、２１日間放置した。ここで、リン酸化合物としては（１）リン酸水素二ナトリウム、（２）リン酸二水素ナトリウム、（３）リン酸水素二カリウム、（４）リン酸二水素カリウムのいずれかを使用し、カルシウム化合物としては（５）塩化カルシウム、（６）水酸化カルシウム、（７）酸化カルシウムのいずれかを使用した。このようにして得られた処理土壌に対して、環境庁告示第４６号に示された溶出試験を行なった。
【００５２】
〔実施例１〜１１〕
比較例１〜４で調製した汚染土壌Ｌの１００重量部に対して、リン酸化合物を２〜３０重量部、カルシウム化合物を２〜３０重量部、および合成例１で得られた粉末Ｅまたは合成例２で得られたスラリーＫを２〜３０重量部添加し、水２０重量部を加えて混合して２１日間放置した。このようにして得られた処理土壌に対して、環境庁告示第４６号に示された溶出試験を行なった。その結果を表１に示す。
【００５３】
【表１】
2012135728.tif 000002
【００５４】
〔実施例１２〕
比較例１〜４で調製した汚染土壌Ｌの１００重量部に対して、リン酸水素二ナトリウムを１０重量部、塩化カルシウムを２０重量部および水２０重量部を添加して混合した後、合成例１で得られた粉末Ｅを１０重量部加えて混合し、２１日間放置した。このようにして得られた処理土壌１ｋｇに対して、ｐＨ４の酸性水１０Ｌを接触させた。次いでｐＨ４の酸性水１０Ｌを１回／週の頻度で交換処理を行なった。１月毎に処理土壌を採取して、環境庁告示第４６号に示された溶出試験を行なった。その結果、フッ素の溶出濃度は１ヶ月後の処理土壌で０．７ｍｇ／Ｌ、２ヶ月後の処理土壌で０．７ｍｇ／Ｌ、３ヶ月後の処理土壌で０．７ｍｇ／Ｌであった。このことから、本発明に係る処理方法によれば、酸性水の存在下でも長期にわたってフッ素溶出低減効果を維持できることが認められた。
【産業上の利用可能性】
【００５５】
本発明は、フッ素で汚染された土壌等の処理に利用することができる。